(57)【特許請求の範囲】
【請求項１】
医用画像診断装置と、読影医によって用いられる複数の表示装置とをネットワークで結び、前記医用画像診断装置で得られた被検体の医用画像をデジタル保存し、この医用画像を前記表示装置に送出し、当該システムを構成する各装置間で前記医用画像をステータスで管理する医用画像管理システムであって、
診断確定前の原画像であることを示すステータス情報を付帯させて前記医用画像の原画像を記憶する画像記憶手段と、
前記表示装置からの転送要求に応じて、前記画像記憶手段によって記憶されている原画像を複写した複写画像を生成し、診断確定前の複写画像であること示すステータス情報を付帯させたうえで当該複写画像を前記表示装置に転送する画像転送手段と、
前記複写画像の診断が確定したことを知らせるステータス変更要求が前記表示装置から送信された場合に、当該複写画像の複写元である原画像に付帯されているステータス情報を診断確定済みの原画像であることを示すように変更するステータス変更手段と、
読影医によって操作されたウィンドウ条件、部位及び画面サイズのうち少なくとも一つを含んだ画面情報が前記ステータス変更要求とともに前記表示装置から送信される場合に、当該画面情報を前記ステータス情報に対応させて記憶部に登録する記憶制御手段と、
前記ステータス変更手段によって前記原画像のステータス情報が変更された場合に、当該原画像を複写した複写画像に付帯されているステータス情報を診断確定済みの複写画像であることを示すように変更することを指示するステータス変更通知を前記表示装置に送信する変更通知送信手段と
を有することを特徴とする医用画像管理システム。
【請求項２】
前記表示装置から送信されるステータス変更要求には、前記複写画像の状態を変更する操作を行った利用者を識別する利用者識別情報が含まれており、
前記ステータス変更手段は、前記ステータス変更要求に含まれる利用者識別情報が前記複写画像の状態を変更する権限を有する利用者のものであった場合のみ、前記原画像のステータス情報を変更することを特徴とする請求項１記載の医用画像管理システム。
【請求項３】
前記変更通知送信手段は、前記ネットワークに接続されている全ての表示装置に対して前記ステータス変更通知を送信することを特徴とする請求項１又は２記載の医用画像管理システム。
【請求項４】
前記表示装置は、前記ステータス情報を付帯させて前記複写画像を管理し、当該複写画像の読影結果を入力する操作を受け付けた場合に、診断が確定したことを示すステータス変更要求を送信することを特徴とする請求項１、２又は３記載の医用画像管理システム。
【請求項５】
前記表示装置から前記ステータス変更要求が送信された場合に、当該ステータス変更要求によって行われる変更の種類を判定する通知種類判定手段をさらに備え、
前記ステータス変更手段は、前記通知種類判定手段によって判定された変更の種類が、読影が終わった画像であることを示すステータスに変更させる内容である場合、又は前記原画像を削除する内容である場合に、前記原画像のステータス情報を変更することを特徴とする請求項１、２、３又は４記載の医用画像管理システム。
【発明の詳細な説明】
【０００１】
【発明の属する技術分野】
本発明は、医用画像をディジタルデータで保管し、ＣＲＴ、モニタ装置等の表示装置を備えた医用診断を目的とした医用画像管理システム（ＰＡＣＳ；Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）に関し、特に医用画像が付帯する診断上のステータス情報の管理に関する。
【０００２】
【従来の技術】
例えば、フィルムに撮影画像を写し込む従来のＣＴ装置を有する病院の放射線部門において、放線技師は検査依頼表に従ってＣＴ装置のコンソールを操作して患者の部位を正確に、かつ鮮明に撮影しようとする。
【０００３】
しかし、常に撮影に成功するとは限らない。このような場合には、一般には失敗した医用画像（以下撮像画像という）はフィルムに写し込まないか又は失敗した撮影画像をフィルムに写し込んだときは、そのフィルムを破棄し、撮影に成功したフィルムのみを袋に入れて医師に渡していた。このとき、袋又はフィルムには読影医による診断結果が書き込まれて渡される。
【０００４】
このような手作業による撮影画像のフィルム渡しに代わって、近年はモダリティであるＣＴ装置の撮影画像がデジタル化され、このデジタル化された撮影画像をネットワークを介してワークステーションに転送して読影させる医用画像管理システム（ＰＡＣＳ）が登場している。以下に、このシステムを、図を用いて説明する。
【０００５】
図８は従来の医用画像管理システムの概略構成図である。図８の医用画像管理システムはネットワーク１にモダリティ装置であるＣＴ装置２とサーバ３と読影用のワークステーション４ａ、４ｂ、４ｃ、……を接続し、ＣＴ装置２が被検体を撮影する毎に、その撮影画像（スライス画像）をサーバ３にリアルタイムで送信して保管させる。
【０００６】
そして、観察者である読影医がワークステーション４ａを操作してサーバ３に保管されているスライス画像を転送させて画面に表示し、この画面の映像から診断を行っていた。この診断においては、読影医が所望の部位を強調表示するために階調を調整していた。
【０００７】
さらに、読影医以外の他の医師はワークステーション４ａ以外のワークステーションを操作してサーバ３から所望の撮影画像を転送させて画面に表示させて観察する場合もあった。
【０００８】
【発明が解決しようとする課題】
しかしながら、ワークステーションを使用する読影医にとっては、表示されている医用画像が既に診断の確定（Ａｕｔｈｏｒｉｚｅｄ）した画像であるかを知る手段がなかったという課題があった。
【０００９】
また、一般に読影医がモダリティ装置からの医用画像を診断する場合、医用画像のステータスは診断確定前の画像（Ｏｒｉｇｉｎａｌ）から診断確定済（Ａｕｔｈｏｒｉｚｅｄ）に変化する。医用画像を保管するサーバはそのステータスの変化を管理しなければならない。さらに、画像を保管するサーバ上には、読影医が診断確定（Ａｕｔｈｏｒｉｚｅｄ）した時の条件、すなわち、「診断に使用した種々の条件」、つまり、階調の条件やアノテーション等も保管することも望ましい。
【００１０】
ところが、ワークステーションとサーバとが一般に独立して別の装置、別の場所に存在し、かつこれらのワークステーション上に同じ医用画像の複写が存在するので、この処理をそれぞれ同期して行わなければならないという課題があった。
【００１１】
さらに、自動的にモダリティ装置からＰＡＣＳ（医用画像管理システム）に転送された場合は、モダリティ装置で撮影に失敗された画像まで転送されて、ＰＡＣＳのサーバに自動的に保管されて、複数のワークステーションにもこの撮影に失敗した医用画像が転送されてしまう。
【００１２】
このため、サーバにおける失敗した医用画像を削除する作業と、各ワークステーションにおける失敗した医用画像を削除する作業または削除されるべき画像であることを示すことという課題があった。
【００１３】
本発明は以上の課題を解決するためになされたもので、サーバと読影医のワークステーションとが互いに同期をとって、互いのデジタル化された撮影画像がどのような意味を持つ画像かを管理する医用画像管理システムを得ることを目的とする。
【００１４】
【課題を解決するための手段】
本発明の医用画像管理システムは、医用画像診断装置と複数の表示装置とをネットワークで結び、医用画像診断装置で得られた被検体の医用画像をデジタル保存し、この医用画像を表示装置に送出し、当該システムを構成する各装置間で医用画像をステータスで管理する医用画像管理システムである。
【００１５】
そして、診断確定前の原画像であることを示すステータス情報を付帯させて医用画像の原画像を記憶する手段と、表示装置からの転送要求に応じて、原画像を複写した複写画像を生成し、診断確定前の複写画像であること示すステータス情報を付帯させたうえで当該複写画像を表示装置に転送する手段と、複写画像の診断が確定したことを知らせるステータス変更要求が表示装置から送信された場合に、当該複写画像の複写元である原画像に付帯されているステータス情報を診断確定済みの原画像であることを示すように変更する手段と、読影医によって操作されたウィンドウ条件、部位及び画面サイズのうち少なくとも一つを含んだ画面情報が前記ステータス変更要求とともに前記表示装置から送信される場合に、当該画面情報を前記ステータス情報に対応させて記憶部に登録する手段と、原画像のステータス情報が変更された場合に、当該原画像を複写した複写画像に付帯されているステータス情報を診断確定済みの複写画像であることを示すように変更することを指示するステータス変更通知を表示装置に送信する手段とを有することを要旨とする。
【００１６】
【発明の実施の形態】
＜実施の形態１＞
図１，図２は本実施の形態の医用画像管理システムの概念図である。本システムは、ＣＴ装置２で撮影された被検体の原画像Ａｉがネットワーク１を介して転送される毎に、サーバ１０がファイル１１に保管する。
【００１７】
そして、サーバ１０とワークステーション１２，１３とは互いに画像をステータスで管理する機能を備え、サーバ１０が読影医のワークステーション１２に医用原画像Ａｉ（以下原画像Ａｉという）を複写した複写医用画像（複写原画像Ｃｉ）を転送した後は、互いにこの転送に同期させてそれぞれの画像のステータスを変更して管理することで、ワークステーション上における医用画像（複写）が読影前又は読影後かを知るようにしたものである。
【００１８】
このサーバ１０におけるステータスＤｉは、表１に示すように、Ｏｒｉｇｉｎａｌ、Ａｕｔｈｏｒｉｚｅｄ  Ｏｒｉｇｉｎａｌ、Ｄｅｌｅｔｅｄ、を備える。ワークステーション１２，１３におけるステータスＤｉｉは、ＯｒｉｇｉｎａｌＣｏｐｙ、Ａｕｔｈｏｒｉｚｅｄ  Ｃｏｐｙ、Ｄｅｌｅｔｅｄを備える。また、図３で示すようにサーバ１０およびワークステーション１２，１３と互いに画像をステータスで管理する機能を備えていないワークステーション１４は、サーバ１０またはワークステーション１２，１３から送信される複写医用画像のステータスＤｉｉはＮＯＴ  Ｓｐｅｃｉｆｉｅｄになる。
【００１９】
【表１】
0005010062.tif 000002
また、表１においては、ファイルのアクセス権限を示しており、ステータスＤｉがＯｒｉｇｉｎａｌにされている原画像Ａｉに対しては読影医のみがＲｅａｄ、Ｄｅｌｅｔｅを行うことが許可されていることを示す。
【００２０】
そして、サーバ１０、ワークステーション１２、他のワークステーション１３は表２に示す通知のやりとりを行って、互いの画像のステータスを更新する。
【００２１】
【表２】
0005010062.tif 000003
そして、図１に示すサーバ１０は、ＣＴ装置からの原画像Ａｉをファイル１１に保管し、この保管に伴って、原画像Ａｉの付帯情報Ｂｉ（患者ＩＤ、撮影年月、時刻等）に原画像であることを示すステータスＤｉ（Ｏｒｉｇｉｎａｌ；サーバ上の原画像に対するステータス）を付加して保管する。
【００２２】
そして、サーバ１０は読影医のワークステーション１２から原画像Ａｉの転送指示があると、この原画像Ａｉを複写した複写原画像Ｃｉと付帯情報Ｂｉと原画像Ａｉの複写であることを示すステータスＤｉｉ（Ｏｒｉｇｉｎａｌ  Ｃｏｐｙ）をワークステーション１２に転送する。
【００２３】
ワークステーション１２は、サーバ１０からの複写原画像Ｃｉを画面８に表示すると共に、原画像の複写であることを示すステータスＤｉｉ（Ｏｒｉｇｉｎａｌ  Ｃｏｐｙ）と付帯情報Ｂｉを表示する。
【００２４】
そして、ワークステーション１２側は、画面８の複写原画像Ｃｉの診断結果が読影医（一般には放射線科医）によって入力されると、サーバ１０に対して複写原画像Ｃｉの読影が終わったことを知らせる通知（診断確定画像変更要求通知Ｗｋｂという）を送信する。サーバ１０は診断確定画像変更要求通知Ｗｋｂを受信すると原画像ＡｉのステータスＤｉ（Ｏｒｉｇｉｎａｌ）を診断確定済を示すステータスＤｉ（Ａｕｔｈｏｒｉｚｅｄ）に変更し、さらに、互いに画像をステータスで管理する機能を備えているワークステーション１２とワークステーション１３に対し、複写原画像ＣｉのステータスＤｉｉ（Ｏｒｉｇｉｎａｌ  Ｃｏｐｙ）を、診断が確定した複写原画像であることを示すステータスＤｉｉ（Ａｕｔｈｏｒｉｚｅｄ  Ｃｏｐｙ；ワークステーション側の複写原画像に対するステータス）に変更する通知（診断確定画像通知ＳＷｋｂ）を送信する。診断確定画像通知ＳＷｋｂを受信したワークステーションは該当する複写原画像Ｃｉがあれば、ステータスＤｉｉをＡｕｔｈｏｒｉｚｅｄ  Ｃｏｐｙに変更する。
【００２５】
また、図２に示すワークステーション１２は、複写原画像Ｃｉが読影医によって撮影が失敗した画像と判断され、その失敗した複写原画像Ｃｉが読影医によって削除されると、複写原画像Ｃｉを削除したことを示す通知（以下複写画像削除要求通知Ｗｋｃという）を送信する。サーバ１０は複写画像削除要求通知Ｗｋｃを受信すると原画像ＡｉのステータスＤｉ（Ｏｒｉｇｉｎａｌ）を削除を示すステータスＤｉ（Ｄｅｌｅｔｅｄ）に変更し、さらに、互いに画像をステータスで管理する機能を備えているワークステーション１２とワークステーション１３に対し、複写原画像ＣｉのステータスＤｉｉ（Ｏｒｉｇｉｎａｌ  Ｃｏｐｙ）を、削除を示すステータスＤｉｉ（Ｄｅｌｅｔｅｄ）に変更する通知（複写画像削除通知ＳＷｋｃ）を送信する。複写画像削除通知ＳＷｋｃを受信したワークステーションは該当する複写原画像Ｃｉがあれば、ステータスＤｉｉをＤｅｌｅｔｅｄに変更する。
【００２６】
さらに、システム全体としてステータス管理を行わないワークステーション１４へ複写原画像を送信する場合は、サーバ１０およびワークステーション１２，１３は画像のステータスＤｉｉがいずれであっても、診断には無関係な画像であることを示すステータス（ＮＯＴ  Ｓｐｅｃｉｆｉｅｄ）にして送信する（図３）。
【００２７】
このとき、送信側は受信側のワークステーション番号やパスワードを確認し、ステータス管理を行わないワークステーションかを確認する手段を用いて行っている。
【００２８】
すなわち、本システムのサーバ１０は、ＣＴ装置で得られた被検体の医用画像に対して当該サーバ１０で管理するステータス情報（Ｏｒｉｇｉｎａｌ）を付帯させて保管し、この複写医用画像Ｃｉをワークステーション１２に転送して、そのワークステーション１２からの医用画像のステータス変更要求（Ａｕｔｈｏｒｉｚｅｄ  、Ｄｅｌｅｔｅｄ）の通知に伴って、当該サーバ１０で管理する医用画像のステータス情報Ｄｉを、その通知の変更内容に基づいて変更（Ａｕｔｈｏｒｉｚｅｄ  Ｏｒｉｇｉｎａｌ、Ｄｅｌｅｔｅｄ）した後に、医用画像のステータス情報Ｄｉが変更されたことを示すステータス変更通知をワークステーション１２、１３に転送する。
【００２９】
一方、ワークステーション１２は、サーバ１０からの複写医用画像Ｃｉを画面に表示すると共に、この複写医用画像Ｃｉのステータス情報Ｄｉｉを管理し、画面の複写医用画像Ｃｉの読影結果の入力に伴って、複写医用画像Ｃｉのステータス変更のため、サーバ１０に対して医用画像のステータス変更要求（Ａｕｔｈｏｒｉｚｅｄ  、Ｄｅｌｅｔｅｄ）を通知し、サーバ１０からの複写医用画像のステータス変更通知に従って当該ワークステーションの複写医用画像のステータス情報Ｄｉｉを変更する。
【００３０】
（本発明に係わるサーバ１０の構成）
サーバ１０は図４に示すように、外部装置との通信を制御して、外部に指定のデータを送信又は外部からのデータを受信するデータ送受信部１５と、データ送受信部１５が受信したＣＴ装置からの原画像Ａｉ、付帯情報Ｂｉを所定の形式でファイル１１に保管すると共に、原画像Ａｉであることを示すステータスＤｉを付加して記憶する画像保管制御部１６と、データ送受信部１５が受信したデータから通知Ｗｋｉ、ワークステーション番号Ｗｉ、付帯情報Ｂｉ等を取得する通知取得部１７とを備えている。
【００３１】
また、通知取得部１７が取得した通知Ｗｋｉの種類を判定し、この判定結果を後述する相手先判定部１９、ステータス更新部２０及びステータス変化通知部２１に知らせる通知種類判定部１８と、通知取得部１７が取得したワークステーション番号Ｗｉと使用者ＩＤより相手先が読影医のワークステーション又は他の医師のワークステーションからかのデータかを判定し、この判定結果をステータス更新部２０及びステータス変化部２１に知らせる相手先判定部１９とを備えている。
【００３２】
さらに、ステータスＤｉを通知種類判定部１８及び相手先判定部１９の判定結果に基づいて更新するステータス更新部２０と、通知種類判定部１８からの通知の種類が転送要求を示しているとき通知取得部１７の画像要求データＦｉ（患者ＩＤ、撮影年月日、時刻等）に対応するファイル１１の原画像Ａｉ及び付帯情報Ｂｉを複写して要求のあったワークステーションに転送させる画像転送部２３とを備えている。
【００３３】
（サーバの詳細説明）
前述の通知種類判定部１８は  通知取得部１７からのワークステーション側からの通知ＷＫｉの種類を判定する。例えば、この通知ＷＫｉが複写原画像Ｃｉの転送又は原画像Ａｉに対する診断が終わったことを示すステータスの変更させる通知（ワークステーション側の診断確定画像変更要求通知Ｗｋｂ；Ａｕｔｈｏｒｉｚｅｄ）、或いは削除したことを示す通知（ワークステーション側の複写画像削除要求通知Ｗｋｃ；Ｄｅｌｅｔｅｄ）の時に、その通知Ｗｋｉを受付ける。
【００３４】
また、ワークステーションからの通知Ｗｋｉを受け付けたときは、その通知Ｗｋｉの種類をステータス更新部２０、相手先判定部１９及びステータス変化通知部２１に知らせる。
【００３５】
相手先判定部１９は、通知取得部１７からの通知Ｗｋｉに付加されている使用者コードが本システムにおいて使用が許可されている医師のものかを判断し、使用が許可されている使用者コードの場合は画像転送部２３に転送許可を与えると共に、使用者コードが読影医（放射線科医）のものかどうかを判断し、その判定結果をステータス更新部２０及びステータス変化通知部２１に知らせる。
【００３６】
前述のステータス更新部２０は、相手先判定部１９が通知先の相手が読影医と判定し、かつ通知種類判定部１８が読影が終わった画像であることを示すステータスに変更させる通知（ワークステーション側からの診断確定画像変更要求通知Ｗｋｂ）であるときは、ワークステーション側から送信された付帯情報Ｂｉに対応するファイル２２のステータスＤｉをＡｕｔｈｏｒｉｚｅｄ  Ｏｒｉｇｎａｌに更新する。画像要求データＦｉが示すワークステーションに対してＡｕｔｈｏｒｉｚｅｄ  Ｃｏｐｙに変化させる通知（診断確定画像通知ＳＷｋｂ）を行う。
【００３７】
また、ステータス更新部２０は、相手先判定部１９が相手先が読影医で、通知種類判定部１９がその通知Ｗｋｉが原画像Ａｉも削除を要求する通知（ワークステーション側からの複写画像削除要求通知Ｗｋｃ）のときは、その通知と一緒にワークステーション側から送信された付帯情報Ｂｉに対応するファイル１６のステータスＤｉをＤｅｌｅｔｅｄに更新する。ステータス変化通知部２１は、画像要求データＦｉが示すワークステーションに対してｄｅｌｅｔｅｄに変化させる通知（複写画像削除通知ＳＷｋｃ）を行う。
【００３８】
画像転送部２３は、図示しない転送指示部を備え、この転送指示部が相手先判定部１９が転送を許可したときに画像を転送させる。つまり、ワークステーション１２に対して優先的に撮影画像を転送させる。又は、他のワークステーション１３からの転送があると、その転送要求を受け付けて転送させる。この転送には、通知取得部１７が抽出した付帯情報Ｂｉ又は画像要求情報Ｆｉに対応するファイル１１の原画像Ａｉ及び付帯情報Ｂｉを複写し、その通知を行ったワークステーションに複写原画像Ｃｉと付帯情報ＢｉとステータスＤｉｉに複写画像であることを示すステータスセットし転送させる。
【００３９】
一方、読影医側のワークステーション１２は、図５に示すように、外部装置との通信を制御して、外部に指定のデータを送信又は外部からのデータを受信するデータ送受信部２５と、データ送受信部２５からのサーバ１０の複写原画像Ｃｉと付帯情報Ｂｉとを画面１３の表示形式に変換して画像化する画像化部２６と、データ送受信部２５が受信したデータから通知ＳＷｋｉ、付帯情報Ｂｉ等を取得する通知取得部２７とを備えている。
【００４０】
さらに、画像化部２６によって複写原画像Ｃｉ及び付帯情報Ｂｉが画面１３に表示されたとき、通知種類判定部２８の通知ＳＷｋｉに基づいてステータスＤｉｉを更新するステータス更新部２９とを備えている。
【００４１】
このステータス更新部２９は、画面１３の複写原画像Ｃｉに対する診断結果が読影結果設定部３０によって設定されると、ステータス変化通知部３１に付帯情報Ｂｉと変化したステータスＤｉｉを伝える。また、ステータス変化通知部３１は、ステータス変化通知部２８から画面１３の付帯情報Ｂｉを読み、ステータス更新部２９によって更新されたその付帯情報ＢｉのステータスＤｉｉを付帯情報Ｂｉと共に転送させるステータス変化通知部３１と、画像転送要求指示と患者ＩＤと撮影年月日、時刻等が入力すると、これらの入力データを画像転送要求情報Ｆｉとしてデータ送受信部２５によりサーバ１０に送信させる画像要求部３２と、画面１３に表示している複写原画像Ｃｉと付帯情報Ｂｉとを要求のあった他のワークステーションに転送する画像転送部３３とを備えている。
【００４２】
（ワークステーションの説明）
前述の通知種類判定部２８は  通知取得部２７からのサーバ１０側からの通知ＳＷＫｉの種類を判定する。例えば、この通知ＳＷＫｉが複写原画像Ｃｉの診断確定（ＳＷｋｂ）かどうかを判定し、複写画像Ｃｉの付帯情報Ｂｉをステータス更新部２９及びステータス変化部３１に知らせる。
【００４３】
ステータス更新部２９は、サーバ１０が通知ＳＷｋｉを通知してきたときは、その付帯情報Ｂｉに対応するステータスＤｉｉを更新する。
【００４４】
また、読影医が画面１３の複写原画像Ｃｉに対する読影が終わって、その結果をキーボード又はマウス（図示せず）によって入力したときは、読影結果設定部３０がステータス更新部２９にその読影結果を設定する。この設定に伴って、ステータス変化通知部３１はＷｋｂを送信指示する。
【００４５】
さらに、読影医が画面１３の撮影を削除すると、ステータス変化通知部３１はＷｋｃを送信指示する。
【００４６】
次に、ステータス変化通知部３１は、ステータス更新部２９がステータスＤｉを更新する毎に、付帯情報と共にサーバ１０又は他のワークステーションに通知Ｗｋｉを行う。
【００４７】
例えば、読影が終わった画像であることを示すステータスに変更させる通知（ワークステーション側からの読影終了通知Ｗｋｂ）、この通知によってサーバ１０は送信された付帯情報Ｂｉに対応するファイル２２のサーバ上のステータスＤｉをＡｕｔｈｏｒｉｚｅｄ  Ｏｒｉｇｎａｌに更新する。
【００４８】
また、ステータス更新部２９のステータスＤｉｉがＤｅｌｅｔｅｄのときは、複写画像削除通知Ｗｋｃを送信する。これによってサーバ１０は、その通知と一緒にワークステーション側から送信された付帯情報Ｂｉに対応するファイル２２ステータスＤｉをＤｅｌｅｔｅｄに更新する。
【００４９】
すなわち、本システムはサーバとワークステーションとが画像をステータスで管理し、互いに画像に対する何らかの処置を施したときに互いに同期をとって互いに管理しているステータスを変更している。
【００５０】
従って、ワークステーションでは医用画像がどのようなステータスをもった画像かを確認できるので、例えば読影前のものか又は読影後のものか等を容易に知ることができる。
【００５１】
＜実施の形態２＞
図６は実施の形態２のサーバの概略構成図である。図７は実施の形態２のワークステーションの概略構成図である。図６に示すように、サーバ１０には画面情報記憶制御部２４を備える。この画面情報記憶制御部２４は、ワークステーション１２からの画面１３の階調などのウインドウ条件、画面サイズ、部位等の画面情報ＧｉをステータスＤｉに対応させて登録する。
【００５２】
また、ワークステーション１２には画面設定情報転送部３５を備え、この画面設定情報転送部３５が、読影医によって操作されたウインドウ条件、部位、画面サイズ等をステータス変化通知部３１がステータスの変化の通知を行うときに同時に転送させる。
【００５３】
従って、他のワークステーションの医師がサーバ１０の患者の複写原画像Ｃｉを見たときは、この複写原画像が既に読影が終わった画像で、かつどのような画面条件で読影したかが分かるので、他のワークステーションの医師は読影医と同じ条件を設定して、その患者の複写原画像を確認できる。このため、読影医と他の医師とで同じ診断結果とさせることが可能となる。
【００５４】
なお、上記実施の形態では、読影医のワークステーションに対してサーバ１０がステータスの同期をとると説明したがシステムマネージャとなるワークステーションにステータスを持ち、このワークステーションとサーバとがステータスの変化の同期をとるようにしてもよい。
【００５５】
【発明の効果】
以上のように本発明の医用画像管理システムによれば、サーバが画像診断装置で得られた医用画像をステータス情報を付帯させて保管し、この複写医用画像をワークステーションに転送して、そのワークステーションからの医用画像のステータス変更要求の通知に伴って、その通知の変更内容に基づいて変更し、ワークステーションがサーバのステータス情報の変更に同期して、そのワークステーションのステータス情報を更新する。
【００５６】
このため、互いの医用画像がどのような意味を持つ画像かを正確に管理することができるという効果が得られている。
【００５７】
特に、読影医の特定のワークステーションのみに複写原画像を転送するので、保管された撮影画像に対して複数の読影結果が存在するということが無くなるという効果が得られている。
【００５８】
また、読影医のワークステーションと同期をとってステータスを管理することができると共に、読影医以外の医師のステータス管理の機能を装備しないワークステーションにはステータスを含まない（Ｎｏｔ  Ｓｐｅｃｉｆｉｅｄ）画像のみを転送させることができる。
【図面の簡単な説明】
【図１】本実施の形態の医用画像管理システムの概念図である。
【図２】本実施の形態の医用画像管理システムの概念図である。
【図３】本実施の形態の医用画像管理システムの概念図である。
【図４】本実施の形態１のサーバの概略構成図である。
【図５】本実施の形態１の所定のワークステーションの概略構成図である。
【図６】本実施の形態２のサーバの概略構成図である。
【図７】本実施の形態２の所定のワークステーションの概略構成図である。
【図８】従来の医用画像管理システムの概略構成図である。
【符号の説明】
１０  サーバ
１５  データ送受信部
１７  通知取得部
１９  相手先判定部
２０  ステータス更新部
２１  ステータス変化通知部
【図１】
0005010062.tif 000004
【図２】
0005010062.tif 000005
【図３】
0005010062.tif 000006
【図４】
0005010062.tif 000007
【図５】
0005010062.tif 000008
【図６】
0005010062.tif 000009
【図７】
0005010062.tif 000010
【図８】
0005010062.tif 000011